(57)【要約】【課題】  不要なルート案内が実行されることを防止して利用者を煩わしさから解放することができ、煩雑な操作を削減して利用者にかかる操作上の負担を軽減することができ、迎え行為を開始するまでに利用者に課される監視負担を除去することができる「ナビゲーション装置」を提供すること。【解決手段】  車両が予め設定された送迎地点に予め設定された送り行為における到着時刻またはその近時に到着した場合にのみ、迎え行為のための出発時刻を監視する機能を自動的に起動し、前記迎え行為のための出発時刻となったことが確認された場合に、迎え行為のための案内を実行するように形成されていること。【選択図】      図１
2006329841.tif 000002
【特許請求の範囲】
【請求項１】
送迎地点、前記送迎地点への送り行為における到着時刻および前記送迎地点への迎え行為における到着時刻を予め設定可能とされ、
予め設定された前記迎え行為における到着時刻に車両が前記送迎地点に到着するように前記迎え行為のための出発時刻を監視する機能を有し、
前記車両が、予め設定された前記送迎地点に予め設定された前記送り行為における到着時刻または前記到着時刻の近時に到着した場合にのみ、前記迎え行為のための出発時刻を監視する機能を自動的に起動するように形成され、
前記迎え行為のための出発時刻を監視する機能によって、前記迎え行為のための出発時刻となったことが確認された場合に、前記迎え行為のための案内を実行するように形成されていること
を特徴とするナビゲーション装置。
【請求項２】
前記送迎地点、前記送迎地点への前記送り行為における到着時刻および前記送迎地点への前記迎え行為における到着時刻を設定する設定手段と、
この設定手段によって設定された前記送り行為における到着時刻または前記到着時刻の近時に、前記車両が前記送迎地点に到着することにより、送迎行為が発生していることを検出する送迎発生検出手段と、
この送迎発生検出手段によって送迎行為が発生していることが検出されることによって自動的に起動され、起動後に、前記車両が現在位置から前記送迎地点へ向かう場合における前記送迎地点への到着予想時刻の算出を、前記迎え行為のための出発時刻を監視する機能の一部として開始するように形成された到着予想時刻算出手段と、
この到着予想時刻算出手段によって逐次算出される前記到着予想時刻に基づいて、前記迎え行為のための出発時刻となったか否かの判定を、前記迎え行為のための出発時刻を監視する機能の一部として逐次行うように形成された判定手段と、
この判定手段が、前記迎え行為のための出発時刻となったと判定した場合に、前記迎え行為のための案内を実行する案内手段と
を備えたことを特徴とする請求項２に記載のナビゲーション装置。
【請求項３】
前記迎え行為のための案内が、少なくとも、前記迎え行為のための出発時刻となった旨を画像および音声の少なくとも一方によって利用者に通知することを含むことを特徴とする請求項１または請求項２に記載のナビゲーション装置。
【請求項４】
利用者の携帯情報端末に、前記迎え行為のための出発時刻となった旨を画像および音声の少なくとも一方によって通知することを特徴とする請求項３に記載のナビゲーション装置。
【発明の詳細な説明】
【技術分野】
【０００１】
本発明は、ナビゲーション装置に係り、特に、送迎対象者を送迎地点に送迎するのに好適なナビゲーション装置に関する。
【背景技術】
【０００２】
従来から、ナビゲーション装置に搭載された案内システムとしては種々の方式の案内システムが知られているが、基本的には、目的地の決定、ルート計算の条件取得、ルート計算およびルート案内といった手順にしたがって案内を行うようになっている。
【０００３】
具体的には、目的地の決定においては、例えば、施設の種別等の種々の検索手段を利用者に提供することによって、所望の目的地を決定させる。
【０００４】
ルート計算の条件取得においては、ルート計算の条件として、利用者によって予め設定された優先項目または当該ルート計算のときに利用者によって設定される優先項目を取得する。この優先項目には、利用する道路、距離および移動時間等の項目が含まれる。
【０００５】
ルート計算においては、取得されたルート計算の条件を満足する現在位置から目的地までのルートを計算する。
【０００６】
ルート案内においては、ルート計算によって算出されたルートに沿って車両を現在位置から目的地まで画像（地図画面等）や音声を介して案内する。
【０００７】
このルート案内は、ルート計算が終了し、自車が発車した後にある条件を満足すれば即時に開始され、自車が目的地に到着するか、または、利用者が案内を中止させるまで継続して行われる。
【０００８】
【特許文献１】特開２００２−１５０４９４号公報
【発明の開示】
【発明が解決しようとする課題】
【０００９】
しかしながら、従来の案内システムにおいては、前述のように、目的地の決定、ルート計算の条件取得、ルート計算およびルート案内といった一連の手順を基本方式としていたため、このような基本方式を逸脱した案内を実行することは、利用者に大きな負担を強いる結果となっていた。
【００１０】
例えば、普段の生活において車で移動する生活圏領域における車の利用を考えると、家族の習い事のための送迎行為や、病院への送迎行為等、同じ目的地に比較的短い時間間隔で二度向かうことが毎日あるいは週単位で発生し得ることは容易に想像できる。
【００１１】
このような送迎行為は、特定の時刻までに目的地としての送迎地点に到着し、その送迎地点に用事がある同乗者を降車させる送り行為と、用事が済むであろう特定の時刻までに送迎地点に再度到着し、同乗者を乗車させる迎え行為とによって成り立っている。
【００１２】
このような送迎行為における迎え行為においては、同乗者が指定した時刻に送迎地点に到着し、送り行為で降車した同乗者を乗車させる必要がある。
【００１３】
そのため、運転者は、送り行為によって同乗者を送迎地点に降車させた後は、迎え行為のために送迎地点に到着しなければならない時刻と、現在の位置から想定される送迎地点への到着予想時刻とを常に意識して行動をとる必要がある。
【００１４】
また、運転者も人間である以上、迎え行為を意識すべきことをうっかり忘れて同乗者を迎えに行く時刻を逸脱してしまい、同乗者を送迎地点に長時間待たせてしまうことも容易に想像できる。
【００１５】
逆に、同乗者が同乗している送り行為では、運転者が送る時刻を忘れたとしても、同時に同乗者も忘れる確率は低いので、送り行為が遅延する可能性は低いと予想される。
【００１６】
さて、このような送迎行為に、従来の案内システムを利用する場合には、送り行為では、送迎地点を目的地として設定し、設定された目的地まで自車を案内すればよいため、従来通りの手順（前述した基本方式）にしたがって案内を適切に実行することが可能である。
【００１７】
しかしながら、迎え行為においては、従来通りの方式では困難を極めることになる。
【００１８】
すなわち、従来の案内システムを迎え行為に利用する場合には、運転者は、送り行為が完了した後に、同乗者を降車させた送迎地点を、再び目的地として設定して案内システムを動作させることになる。
【００１９】
ここで、運転者は、送り行為が完了した後、迎え行為を行うまでの間の時間は、通常、送迎行為以外の別の用事のために行動する。
【００２０】
しかしながら、従来の案内システムは、一旦動作を開始すると、常に、設定された目的地に到着し得るルート上を自車が走行するように画像や音声を介してルート案内を続けるようになっていた。
【００２１】
したがって、迎え行為のための目的地の設定を行った後においても、迎え行為のために送迎地点へ戻るにはまだ時間の余裕があり、その時間の余裕を利用して別の用事をこなしている運転者にとっては、不要なルート案内が実行され続けることになり、煩わしさを感じさせてしまうといった問題がある。
【００２２】
一方、このような不要なルート案内を停止するには、運転者がルート案内の設定を解除することが必要となり、操作が煩雑になるといった別の問題が生じる結果となる。
【００２３】
また、送迎行為は定期的に発生するにもかかわらず、送り行為が完了する度ごとに、送り行為と同一の送迎地点を、迎え行為における目的地として設定するのでは、目的地を設定するための設定手段の操作回数が多くなり、操作が煩雑になるといった問題がある。
【００２４】
さらに、迎え行為においては、案内システムから提供される現在地から目的地（送迎地点）までの到着予想時刻を常に念頭におきながら送迎行為以外の用事をこなす必要があり、運転者の疲労を助長させるといった問題もある。
【００２５】
その上、従来の技術の中には、指定された到着時刻に自車が目的地に到着するようなルートを引くものも見受けられるが、それは、常に走行していることを前提とした冗長なルートを引くだけであるから、前述した問題を有効に解決するには至らない。
【００２６】
そこで、本発明は、このような問題点に鑑みなされたものであり、不要なルート案内が実行されることを防止して利用者を煩わしさから解放することができ、かつ、煩雑な操作を削減して利用者にかかる操作上の負担を軽減することができ、さらに、迎え行為を開始するまでに利用者に課される監視負担を除去することができるナビゲーション装置を提供することを目的とするものである。
【課題を解決するための手段】
【００２７】
前述した目的を達成するため、本発明に係るナビゲーション装置は、送迎地点、前記送迎地点への送り行為における到着時刻および前記送迎地点への迎え行為における到着時刻を予め設定可能とされ、予め設定された前記迎え行為における到着時刻に車両が前記送迎地点に到着するように前記迎え行為のための出発時刻を監視する機能を有し、前記車両が、予め設定された前記送迎地点に予め設定された前記送り行為における到着時刻または前記到着時刻の近時に到着した場合にのみ、前記迎え行為のための出発時刻を監視する機能を自動的に起動するように形成され、前記迎え行為のための出発時刻を監視する機能によって、前記迎え行為のための出発時刻となったことが確認された場合に、前記迎え行為のための案内を実行するように形成されていることを特徴としている。
【００２８】
そして、このように構成されたナビゲーション装置は、送り行為が完了することによってはじめて迎え行為のための出発時刻を監視する機能を起動することができ、かつ、この機能によって迎え行為のための出発時刻となったことが確認されてはじめて迎え行為のための案内を実行することができる。
【００２９】
これにより、迎え行為に要する設定を行うと、常に迎え行為のための出発時刻の監視が無条件に開始されて迎え行為のための案内が勝手に実行されてしまうようなことを防止することが可能となる。
【００３０】
また、前述のように構成されたナビゲーション装置は、迎え行為に要する設定を、送り行為に要する設定と同一工程で行うことができる。
【００３１】
さらに、前述のように構成されたナビゲーション装置は、迎え行為のための出発時刻を監視する機能によって、迎え行為のための出発時刻となったことが確認されれば、確実に迎え行為のための案内を実行することができる。
【００３２】
また、本発明に係るナビゲーション装置は、前記送迎地点、前記送迎地点への前記送り行為における到着時刻および前記送迎地点への前記迎え行為における到着時刻を設定する設定手段と、この設定手段によって設定された前記送り行為における到着時刻または前記到着時刻の近時に、前記車両が前記送迎地点に到着することにより、送迎行為が発生していることを検出する送迎発生検出手段と、この送迎発生検出手段によって送迎行為が発生していることが検出されることによって自動的に起動され、起動後に、前記車両が現在位置から前記送迎地点へ向かう場合における前記送迎地点への到着予想時刻の算出を、前記迎え行為のための出発時刻を監視する機能の一部として開始するように形成された到着予想時刻算出手段と、この到着予想時刻算出手段によって逐次算出される前記到着予想時刻に基づいて、前記迎え行為のための出発時刻となったか否かの判定を、前記迎え行為のための出発時刻を監視する機能の一部として逐次行うように形成された判定手段と、この判定手段が、前記迎え行為のための出発時刻となったと判定した場合に、前記迎え行為のための案内を実行する案内手段とを備えたことを特徴としている。
【００３３】
そして、このように構成されたナビゲーション装置は、到着予想時刻算出手段による到着予想時刻の算出と、判定手段による判定とによって、迎え行為のための出発時刻を簡便かつ適切に監視することができる。
【００３４】
さらに、本発明に係るナビゲーション装置は、迎え行為のための案内が、少なくとも、迎え行為のための出発時刻となった旨を画像および音声の少なくとも一方によって利用者に通知することを含むことを特徴としている。
【００３５】
そして、このように構成されたナビゲーション装置は、利用者に対して、少なくとも、迎え行為のための出発時刻となった旨を通知することができる。
【００３６】
さらにまた、本発明に係るナビゲーション装置は、利用者の携帯情報端末に、迎え行為のための出発時刻となった旨を画像および音声の少なくとも一方によって通知することを特徴としている。
【００３７】
そして、このように構成されたナビゲーション装置は、利用者が車外にいる場合においても、携帯情報端末を介して利用者に迎え行為のための出発時刻となった旨を通知することができる。
【発明の効果】
【００３８】
本発明に係るナビゲーション装置によれば、迎え行為に要する設定を行うと、常に迎え行為のための出発時刻の監視が無条件に開始されて迎え行為のための不要なルート案内が勝手に実行されることを防止することができ、利用者を煩わしさから解放することができる。
【００３９】
また、前記ナビゲーション装置によれば、迎え行為に要する設定を、送り行為に要する設定と同一工程で行うことができるので、煩雑な操作を削減して利用者にかかる操作上の負担を軽減することができる。
【００４０】
さらに、前記ナビゲーション装置によれば、迎え行為のための出発時刻を監視する機能によって、迎え行為のための出発時刻となったことが確認されれば、確実に迎え行為のための案内を実行するようにしたので、迎え行為を開始するまでに利用者に課される監視負担を除去することができる。
【００４１】
また、本発明に係るナビゲーション装置によれば、到着予想時刻算出手段による到着予想時刻の算出と、判定手段による判定とによって、迎え行為のための出発時刻を簡便かつ適切に監視することができるので、前述した本発明に係るナビゲーション装置に比べて迎え行為をさらに簡便かつ適切に行うことができる。
【００４２】
さらに、本発明に係るナビゲーション装置によれば、利用者に対して、少なくとも、迎え行為のための出発時刻となった旨を通知するようにしたので、迎え行為を確実に行わせることができる。
【００４３】
さらにまた、本発明に係るナビゲーション装置によれば、利用者が車外にいる場合においても、携帯情報端末を介して利用者に迎え行為のための出発時刻となった旨を通知するようにしたので、迎え行為をさらに確実に行わせることができる。
【発明を実施するための最良の形態】
【００４４】
以下、本発明に係るナビゲーション装置の実施形態について、図１から図３を参照して説明する。
【００４５】
図１に示すように、本実施形態におけるナビゲーション装置１は、設定手段としての送迎地点・時刻設定部３を有している。
【００４６】
利用者は、この送迎地点・時刻設定部３によって、送迎地点と、この送迎地点への送り行為における到着時刻（以下、「送り時刻」と称する）と、送迎地点への迎え行為における到着時刻（以下、「迎え時刻」と称する）とを設定することができるようになっている。
【００４７】
さらに、送迎地点・時刻設定部３は、設定された送迎地点、送り時刻および迎え時刻の情報を記憶するようになっている。
【００４８】
この送迎地点・時刻設定部３は、例えば、図２に示すように、送迎地点、送り時刻および迎え時刻を利用者による入力操作によって設定することが可能とされた送迎地点・時刻設定画面５を、ナビゲーション装置１の図示しない表示部に表示する機能を有するものであってもよい。
【００４９】
この場合、利用者による入力操作は、タッチパネル、リモコンおよびリニアエンコーダ等の種々の手段を介して行うことができるようにしてもよい。また、送り時刻および迎え時刻は、日とともに設定することができるものであってもよい。
【００５０】
したがって、本実施形態においては、送迎地点・時刻設定部３によって、迎え行為に要する設定（送迎地点および迎え時刻の設定）を、送り行為に要する設定（送迎地点および送り時刻の設定）と同一工程で行うことができる。
【００５１】
また、本実施形態におけるナビゲーション装置１は、自車の現在位置を検出する自車位置検出部６を有している。
【００５２】
この自車位置検出部６は、ＧＰＳレシーバによる電波航法、車速センサおよびジャイロセンサによる自律航法あるいは、電波航法と自律航法とを混合させたハイブリッド方式等の方法によって自車の現在位置を検出し、検出した現在位置を記憶するようになっている。
【００５３】
送迎地点・時刻設定部３および自車位置検出部６には、送迎発生検出手段としての送迎発生検出部７が接続されている。
【００５４】
この送迎発生検出部７は、送迎地点・時刻設定部３に、送迎地点、送り時刻および迎え時刻が設定された以降において、自車の現在位置および現在時刻の、送迎地点・時刻設定部３に記憶された送迎地点および送り時刻との一致の有無の判定を開始するようになっている。
【００５５】
なお、この判定に際して、自車の現在位置については、自車位置検出部６から取得することができ、現在時刻については、一般的なナビゲーション装置１が持っているＧＰＳから、あるいは、独自に持っている時計から取得することができる。
【００５６】
送迎発生検出部７による判定は、自車の現在位置が、送迎地点・時刻設定部３に設定された送迎地点と一致し、かつ、現在時刻が、送迎地点・時刻設定部３に設定された送り時刻と一致するか、または、所定の誤差範囲内（例えば、設定された送り時刻に対して±１０分となる時刻）に収まるまで繰り返されるようになっている。
【００５７】
そして、送迎発生検出部７は、自車の現在位置が送迎地点と一致し、かつ、現在時刻が送り時刻と一致するか、または、所定の誤差範囲内に収まった場合には、送り行為が完了したものとみなして、送迎行為が発生していることを検出するようになっている。
【００５８】
さらに、本実施形態におけるナビゲーション装置１は、予め設定された迎え時刻に自車が送迎地点に到着するように迎え行為のための出発時刻を監視する機能（以下、「監視機能」と称する）を有している。
【００５９】
前記監視機能は、自車が、送迎地点・時刻設定部３に設定された送迎地点に、設定された送り時刻または送り時刻の近時（例えば、設定された送り時刻に対して±１０分となる時刻）に到着した場合、換言すれば、送迎発生検出部７によって送迎行為が発生していることが検出された場合にのみ自動的に起動されるようになっている。
【００６０】
前記監視機能についてさらに詳述すると、本実施形態において、送迎発生検出部７には、前記監視機能の一部を負担する到着予想時刻算出手段としての到着予想時刻算出部８が接続されている。
【００６１】
到着予想時刻算出部８には、ルート計算部９が接続されており、このルート計算部９は、自車位置検出部６の検出結果とＶＩＣＳから取得出来る実際の交通状況に基づいて、自車の現在位置から目的地となる送迎地点までのルートを計算するようになっている。
【００６２】
到着予想時刻算出部８は、送迎発生検出部７によって送迎行為が発生していることが検出されることによって自動的に起動され、起動後に、自車が現在位置から送迎地点へ向かう場合における送迎地点への到着予想時刻の算出を、前記監視機能の一部として開始するようになっている。
【００６３】
この到着予想時刻は、ルート計算部９のルート計算機能を用いることによって、自車の現在位置および現在時刻の少なくとも一方の変化にともなって逐次算出されるようになっているとともに、一般的なナビゲーション装置１に接続されているＶＩＣＳシステムから取得される今現在の交通状況を加味して算出されるようになっている。
【００６４】
また、本実施形態において、到着予想時刻算出部８および送迎地点・時刻設定部３には、前記到着予想時刻算出部８とともに前記監視機能を負担する判定手段としての判定部１１が接続されており、この判定部１１は、到着予想時刻算出部８の起動とともに自動的に起動されるようになっている。
【００６５】
そして、判定部１１は、到着予想時刻算出部８によって逐次算出される到着予想時刻に基づいて、到着予想時刻の送迎地点・時刻設定部３に設定された迎え時刻との一致の有無を判定、すなわち、迎え行為のための出発時刻発生の有無の判定を、前記監視機能の一部として逐次行うようになっている。
【００６６】
したがって、本実施形態においては、監視機能を有する到着予想時刻算出部８と判定部１１とを、送迎発生検出部７によって送迎行為が発生していることが検出された場合にのみ自動的に起動することができるようになっている。
【００６７】
さらに、本実施形態において、判定部１１には、案内部１２が接続されている。
【００６８】
この案内部１２は、判定部１１が迎え行為のための出発時刻となったと判定した場合に、図示しない表示部を用いた画像表示や、図示しない音声出力部を用いた音声出力等の方法によって、迎え行為のための案内を実行するようになっている。
【００６９】
したがって、本実施形態においては、送迎発生検出部７により、送迎行為が発生していること、すなわち、送り行為が完了したことが検出されてはじめて到着予想時刻算出部８および判定部１１を起動することができ、かつ、判定部１１により、迎え行為のための出発時刻となったことが確認されてはじめて案内部１２による案内を実行することができるようになっている。
【００７０】
これにより、送迎地点・時刻設定部３に送迎地点および迎え時刻を設定すると、常に迎え行為のための出発時刻の監視が無条件に開始されて迎え行為のための案内が勝手に実行されてしまうことを簡便かつ確実に防止することができる。
【００７１】
また、到着予想時刻算出部８および判定部１１によって、迎え行為のための出発時刻を簡便かつ適切に監視することができる。
【００７２】
さらに、到着予想時刻算出部８および判定部１１によって、迎え行為のための出発時刻となったことが確認されれば、案内部１２が確実に迎え行為のための案内を実行することができるため、利用者は、迎え行為のための案内が開始されるまでの間は、迎え行為のための出発時刻を気にせずに、他の用事に専念することができる。
【００７３】
前述した案内部１２による迎え行為のための案内の方法としては、種々の方法を考えることができるが、少なくとも、迎え行為のための出発時刻となった旨を画像（文字情報を含む）および音声の少なくとも一方によって利用者に通知することを含むことが望ましい。
【００７４】
そのようにすれば、利用者は、少なくとも、迎え行為のための出発時刻となったことを知ることができるため、確実に迎え行為を実行することができる。
【００７５】
より好ましくは、案内部１２は、迎え行為のための出発時刻となった旨を通知した後は、利用者を通常のナビゲーションのルート案内機能によって送迎地点まで案内することが望ましい。
【００７６】
そのようにすれば、迎え行為のための出発時刻が通知された地点（自車の現在位置）から送迎地点までのルートを利用者が知らない場合においても、利用者を送迎地点まで確実に案内することができる。
【００７７】
さらに、本実施形態において、案内部１２には、利用者の携帯電話等の携帯情報端末１４に情報を送信可能とされた通信部１５が接続されている。
【００７８】
案内部１２は、迎え行為のための出発時刻となった場合には、通信部１５を通じて利用者の携帯情報端末１４に、迎え行為のための出発時刻となった旨を画像や音声によって通知するようになっている。
【００７９】
これにより、利用者が車外にいる場合においても、携帯情報端末１４を介して利用者に迎え行為のための出発時刻となった旨を通知することができる。
【００８０】
次に、本実施形態の作用について、具体例を用いて説明する。
【００８１】
本実施形態におけるナビゲーション装置１を用いて送迎行為を実行するには、まず、図３に示す出発地点Ｗにおいて、送迎地点・時刻設定部３により、図２に示すような送迎地点・時刻設定画面５を表示部（図示せず）に表示する。
【００８２】
そして、利用者が、送迎地点・時刻設定画面５に、送迎地点をＸ、送り時刻を１７時、迎え時刻を１９時と設定すると、送迎地点・時刻設定部３は、設定された内容を記憶する。
【００８３】
この設定が行われ、自車が出発地点Ｗから送り行為のために出発すると、送迎発生検出部７は、自車の現在位置と送迎地点Ｘとの一致の有無および現在時刻と設定された１７時との一致の有無の判定を開始する。
【００８４】
なお、この時点では、到着予想時刻算出部８および判定部１１は起動されていない。
【００８５】
そして、送迎発生検出部７は、自車が実際に１７時に送迎地点Ｘに到着すると、前記判定を終了するとともに、送迎行為が発生していることを検出する。
【００８６】
次いで、送迎発生検出部７によって送迎行為が発生していることが検出されたことを受けて、到着予想時刻算出部８が起動される。
【００８７】
到着予想時刻算出部８は、起動された後、自車の現在位置から送迎地点Ｘへ向かう場合における到着予想時刻の算出を開始する。
【００８８】
到着予想時刻算出部８は、到着予想時刻の算出を開始した後、利用者が図３の実線の矢印に示すようなルートを走行しながら様々な用事をこなす間、当該ルート上の各地点（例えば、地点Ａ、地点Ｂ、地点Ｃ）において、自車が送迎地点Ｘへ向かう場合における到着予想時刻を逐次算出する。
【００８９】
このとき、判定部１１は、到着予想時刻算出部８によって逐次算出される送迎地点Ｘへの到着予想時刻に基づいて、迎え行為のための出発時刻発生の有無を逐次判定する。
【００９０】
図３においては、地点Ａにおける送迎地点Ｘへの到着予想時刻は１７時３０分であり、地点Ｂにおける送迎地点Ｘへの到着予想時刻は１８時３０分であるため、地点Ａ、Ｂにおいては、判定部１１は、未だに迎え行為のための出発時刻となっていないと判定する。
【００９１】
そして、自車が地点Ｃを通過したときに、到着予想時刻が１９時となると、判定部１１は、迎え行為のための出発時刻となったと判定する。
【００９２】
この判定部１１の判定を受けて、案内部１２は、利用者に対して、迎え行為のための出発時刻となったことを画像や音声によって通知する。
【００９３】
以上述べたように、本実施形態におけるナビゲーション装置１によれば、迎え行為に要する設定を行うと、常に、到着予想時刻算出部８による到着予想時刻の算出および判定部１１による判定（迎え行為のための出発時刻の監視）が無条件に開始されて迎え行為のための不要なルート案内が勝手に実行されてしまうようなことを防止することができ、利用者を煩わしさから解放することができる。
【００９４】
また、迎え行為に要する設定を、送り行為に要する設定と同一工程で行うことができるようにしたので、煩雑な操作を削減して利用者にかかる操作上の負担を軽減することができる。
【００９５】
さらに、判定部１１によって、迎え行為のための出発時刻となったことが確認されれば、案内部１２によって確実に迎え行為のための案内を実行することができるので、迎え行為を開始するまでに利用者に課される監視負担を除去することができる。
【００９６】
なお、本発明は、前述した実施の形態に限定されるものではなく、必要に応じて種々の変更が可能である。
【図面の簡単な説明】
【００９７】
【図１】本発明に係るナビゲーション装置の実施形態を示すブロック図
【図２】送迎地点・時刻設定部の一例として、送迎地点・時刻設定画面を示す図
【図３】本発明に係るナビゲーション装置の実施形態において、具体的な動作例を示す説明図
【符号の説明】
【００９８】
１  ナビゲーション装置
３  送迎地点・時刻設定部
７  送迎発生検出部
８  到着予想時刻算出部
１１  判定部
１２  案内部
１４  携帯情報端末
【図１】
2006329841.tif 000003
【図２】
2006329841.tif 000004
【図３】
2006329841.tif 000005